(57)【要約】【課題】ページを開く際にしおりを落下させることなく、小さな力で素早くページを開くことができるとともに、簡易に当該しおりを所望のページに挿入することができ、また、読書や書き込み等の作業を行うときには邪魔とならない位置に配置することができるしおりを提供する。【解決手段】冊子の表紙に固定する固定部１４と、薄板あるいはシートを用いて形成され、前記冊子のページ紙間に挿み込むしおり本体１１と、前記しおり本体１１から延設された可撓部１２と、前記可撓部１２と前記固定部１４とを接続するヒンジ部１３とを備え、前記しおり本体１１を前記冊子の所望のページ紙間に挿んだとき、前記しおり本体１１と前記ページ紙表面とを平行あるいは略平行にすることを特徴とする。【選択図】図１
2019209565.tif 000002
【特許請求の範囲】
【請求項１】
冊子の表紙に固定する固定部と、
薄板あるいはシートを用いて形成され、前記冊子のページ紙間に挿み込むしおり本体と、
前記しおり本体から延設された可撓部と、
前記可撓部と前記固定部とを接続するヒンジ部と、
を備え、
前記しおり本体を前記冊子の所望のページ紙間に挿んだとき、前記しおり本体と前記ページ紙表面とを平行あるいは略平行にする、
ことを特徴とするしおり。
【請求項２】
前記しおり本体は、
前記ページ紙間に挿んだとき、該ページ紙の小口から突出するタグ部を有する、
ことを特徴とする請求項１に記載のしおり。
【請求項３】
前記しおり本体は、
該しおり本体または前記タグ部に、手または指を沿えてページを開こうとした時、不意にずれることを防ぐ複数の溝部または凹凸部を、両面もしくは、少なくとも該しおり本体を挿んだときに、該しおり本体と前記固定部で挟まれた側の複数のページ紙のうち、該しおり本体を挿んだときに前記ページ紙と接する表面に設けている、
ことを特徴とする請求項２に記載のしおり。
【請求項４】
前記ヒンジ部は、
該ヒンジ部の開度を保持する保持手段を備える、
ことを特徴とする請求項１から３のいずれか１項に記載のしおり。
【発明の詳細な説明】
【技術分野】
【０００１】
本発明は、手帳、メモ帳、ノート及び本、さらには手帳カバー等の紙面ページ間に目印として挟んでおくためのしおりに関する。
【背景技術】
【０００２】
一般的な手帳や書籍などには、ページ紙面を綴じている上側部分に１本あるいは複数本の細いしおり紐が取付け固定されている。このしおり紐は、一端が上記の綴込み部に固定されており、自由端を手で操作して、例えば、手帳であれば、記入を終えたページに挿み込み、本であれば、読み終えたページに挿み込むように用いられている。このしおり紐は、柔軟性を有する素材を用いて比較的細く形成されているため、これを使用者が指で掴んで扱うとき紙の間に挟むことが難しい場合がある。
【０００３】
上記のしおり紐に比べて使い勝手の良いものとして、適度な厚さの厚紙を短冊状に形成し、その上部に飾り紐等を結び付けたしおりを用いることが多い。このようなリーフ状のしおりは、紙面の間に挿みこむだけなので、例えば、ページ送りのように冊子状の紙面を送り動かすと、挿み込んだ部分から簡単に落下してしまうことがある。
上記のしおり紐をページ間から外す操作や、ページ間に深く挿まったしおりを外して適度な位置に挿みなおす煩わしさをなくし、また、しおりを挿んだページの開き難さを抑えるため、次のように構成されたしおりがある。
このしおりは、例えば、適度な弾性を有する樹脂シート等を用いて短冊状のしおり本体を形成し、当該短冊状の長手方向の一端に糊部を設け、この糊部を本の適当な位置に貼り付け、しおり本体に設けられた折目を折ることによって長手方向の他端を所望のページ間に挿むように構成されている（例えば、特許文献１参照）。
【０００４】
また、プラスチックシートを抜き打ちカットすることにより、用紙差し替え式ノートに装着できるように形成し、棒状の目印部を備えたしおりがある（例えば、特許文献２参照）。
このしおりは、上記の用紙差し替え式ノートに備えられている用紙綴じ具に綴じ込むことができる係止部を備えており、この係止部を用紙綴じ具に綴じ込んだとき、ノート用紙の縁端から当該ノート外側へ突出するように目印部を備えている。このしおりを使用するときには、複数枚の用紙とともに用紙差し替え式ノートに綴じ込み、棒状の目印部を、例えば用紙の縁端と重なる位置で折り曲げて所望の用紙間に挿み込む。このように用紙間に挿み込んだとき、棒状の目印部の先端は、当該目印部の基端側となる用紙の一の縁辺に対向配置された他の縁辺から突出する。この突出した部位を手で操作することにより、所望の（目印部を挿み込んだ）用紙間を開くことができる。
【先行技術文献】
【特許文献】
【０００５】
【特許文献１】実開平７−７５７号公報
【特許文献２】特開２００８−２９０２５１号公報
【発明の概要】
【発明が解決しようとする課題】
【０００６】
樹脂シート等を用いて、例えばポリプロピレン（ＰＰ）を用いてしおりを形成した場合、この素材が有する弾性によって、しおりを挿んだ手帳や本などのページ間が開いた状態になって綴込み部分やページ縁端などを傷めることがある。
また、上記のような樹脂製のしおりは、数十分程度、本等に挿んだ状態を保持すると、前述の折目などの可撓部分に癖がつき、元来の形状へ戻らなくなり、挿み込んだページの紙面から離れ難くなるという問題点があった。
【０００７】
また、前述の用紙差し替え式ノートに綴じ込むしおりは、用紙の縁端から突出している目印部の先端を掴んで所望の用紙間（ページ）を開くとき、比較的大きな力と「こつ」が必要になる。
具体的には、所望のページ間に挿み込まれた棒状の目印部は、例えば、用紙差し替え式ノートを水平状態としてページ見開き状態にすると、目印部の折り返し部分と先端との間に複数ページの用紙が積み上げられた状態となる。即ち、折り返し部分と先端との間には複数ページの用紙の荷重が加えられている。
【０００８】
この荷重を持ち上げる（見開く）ための力をＦとする。また、力Ｆが加えられる位置から用紙綴込み部分までの距離をＬ１、目印部に積層されている用紙の重量をＷ、重量Ｗの用紙の重心と用紙綴込み部分までの距離をＬ０としたとき、用紙見開きに要する力Ｆは、Ｆ＝Ｗ×Ｌ０／Ｌ１となる。
ここで、距離Ｌ１は、距離Ｌ０に比べて十分小さいことから、目印部に積層されている用紙の重量Ｗよりも相当に大きな力Ｆが用紙見開きに必要になり、操作感が重くなってしまう。このように用紙重量Ｗよりも大きな力Ｆが必要になることから、実際に用紙を見開き状態にする場合には、前述の用紙の他の縁端から突出している目印部の先端を、用紙綴込み部分から引き離すように移動させ、当該目印部をひねるように力を加えながら、見開き状態となるように持ち上げる「こつ」が必要になり、素早く所望のページを開くことが難しいという問題点があった。
【０００９】
本発明は上記の問題点に鑑みなされたもので、ページを開く際にしおりを落下させることなく、小さな力で素早くページを開くことができるとともに、簡易に当該しおりを所望のページに挿入することができ、また、読書や書き込み等の作業を行うときには邪魔とならない位置に配置することができるしおりを提供することを目的とする。
【課題を解決するための手段】
【００１０】
本発明に係るしおりは、冊子の表紙に固定する固定部と、薄板あるいはシートを用いて形成され、前記冊子のページ紙間に挿み込むしおり本体と、前記しおり本体から延設された可撓部と、前記可撓部と前記固定部とを接続するヒンジ部と、を備え、前記しおり本体を前記冊子の所望のページ紙間に挿んだとき、前記しおり本体と前記ページ紙表面とを平行あるいは略平行にすることを特徴とする。
【００１１】
また、前記しおり本体は、前記ページ紙間に挿んだとき、該ページ紙の小口から突出するタグ部を有することを特徴とする。
【００１２】
また、前記しおり本体は、該しおり本体または前記タグ部に、手または指を沿えてページを開こうとした時、不意にずれることを防ぐ複数の溝部または凹凸部を、両面もしくは、少なくとも該しおり本体を挿んだときに、該しおり本体と前記固定部で挟まれた側の複数のページ紙のうち、該しおり本体を挿んだときに前記ページ紙と接する表面に設けていることを特徴とする。
【００１３】
また、前記ヒンジ部は、該ヒンジ部の開度を保持する保持手段を備えることを特徴とする。
【発明の効果】
【００１４】
本発明によれば、冊子である手帳や本などの所望のページ間に挿めたとき、当該手帳や本などの外形から大きくはみ出すことがなく、また、挿めたしおりによってページ間が開くことを抑えることができる。
【図面の簡単な説明】
【００１５】
【図１】本発明の実施例１によるしおりの構成を示す説明図である。
【図２】図１のしおりを冊子に装着した状態を示す説明図である。
【図３】本発明の実施例２によるしおりの構成を示す説明図である。
【図４】図３のしおりを冊子に装着した状態を示す説明図である。
【図５】本発明の実施例３によるしおりの構成を示す説明図である。
【図６】図５のしおりを冊子に装着した状態を示す説明図である。
【図７】比較例のしおりの構成を示す説明図である。
【発明を実施するための形態】
【００１６】
以下、この発明の実施の一形態を説明する。
（実施例１）
図１は、本発明の実施例１によるしおり１の構成を示す説明図である。図１（ａ）は、しおり１を正面視したときの外観であり、図１（ｂ）は、しおり１を側方視したときの外観の一部分を示したものである。
しおり１は、可撓性を有する樹脂板、あるいは樹脂シートを用いて形成されたしおり本体１１、例えばしおり本体１１と一体形成された可撓部１２、しおり本体１１とは別部材として形成された固定部１４を備えている。また、しおり１は、可撓部１２と固定部１４とを接続するヒンジ部１３を備えて構成されている。
【００１７】
しおり本体１１は、しおり１を装着する冊子等の紙面に当接したとき、容易に滑り移動することがないように、適当な摩擦力が生じるざらつきを表面に有する樹脂製の薄板、あるいはシート等を用いて形成されている。
しおり本体１１を形成する樹脂製の薄板あるいはシートは、容易に折れ曲がることがなく、また前述のように可撓性を備える厚さを有している。
しおり本体１１と一体形成されている可撓部１２は、当該しおり本体１１と同一素材によって形成されており、適当な間隔を開けて複数の可撓溝部１５が設けられている。
【００１８】
可撓溝部１５は、可撓部１２を曲げたわめる方向と直交するように延設されており、しおり１を冊子等に固定装着したとき、当該冊子等の小口と接することのない側の面に形成されている。換言すると、可撓溝部１５は、ヒンジ部１３を閉じた状態としたとき、曲げたわんだ可撓部１２の外側部分に形成されていることが望ましいが、これに限定されるものではなく、可撓部１２両面に溝部を設けることもできる。なぜなら、両面に設ける溝部が小さい又は深さが浅いもの、また、滑らかな曲線形状に形成されたものであれば、溝部がページ紙の小口に引っ掛かることもなくなる。
また更に、溝部を設けることなく可撓部１２を薄くする又は有効幅を小さく構成してもよく、更には、しおり本体１１と同一素材とせずに、他の柔軟素材を用いて構成しても良い。
【００１９】
なお、可撓溝部１５に替えて、複数のリブなどを設けて形成された複数の凹凸部を、当該可撓溝部１５と同様に配置し、また、同様な方向に延設し可撓部１２として形成してもよい。また、単に樹脂素材を薄くすることで可撓部を形成してもよい。なお、後述する可撓部２２，３２においても、それぞれ可撓溝部２５，３５に替えて上記の凹凸部を備えてもよく、また、上記のように薄く形成してもよい。
可撓溝部１５は、可撓部１２をたわませたときに生じる応力、即ち、可撓部１２が元来の形状へ戻ろうとする力を抑制するためのものである。
【００２０】
固定部１４は、冊子等からしおり１が脱落しないように固定する部位であり、冊子等の表紙裏面などに面接合させる平坦な面を備え、例えばしおり本体１１と同一の素材を用いて形成されている。また、冊子等に接着固定する例えば接着剤または両面テープ（接着シート）等が上記の平坦な面の片側に付着されている。
固定部１４の縁端と可撓部１２の縁端には、ヒンジ部１３が固定されている。ヒンジ部１３は、例えば金属製の蝶番であり、例えば、図１（ｂ）に示したように、しおり本体１１と固定部１４が一直線となる位置から、しおり本体１１と固定部１４が折り重なって接触する程度まで可動（回転）できるように構成されている。
【００２１】
また、ヒンジ部１３は、しおり本体１１と固定部１４の位置関係（ヒンジ部１３の開度）を保持する保持手段、例えば、ヒンジ部１３の回転軸部分に上記の位置関係を保持することができる程度の回転抵抗を有する、あるいは簡易なラッチ機構などを有している。
しおり１は、上記の保持手段を有していないヒンジ部１３を用いて構成してもよい。このように保持力を有さないヒンジ部１３を用いた場合には、例えば、ヒンジ部１３の可動域を９０度以上で、かつ、しおり本体１１が手前に倒れてこない角度に、突き当て等で角度位置を制限するように構成し、上記保持手段の代替え機能としてもよい。なお、後述する各しおりにおいても、保持手段を有さないヒンジ部を備えて構成してもよく、この場合には、上述の代替え機能を有するように構成するとよい。
【００２２】
上記のようにヒンジ部１３が回転可能であるので、上記の保持手段、または、ヒンジ部１３の可動域の背面側に倒した際、しおり本体１１を目的のページ紙面上の視界から外に出すことが可能となる。
また、しおり本体１１と可撓部１２を個別に形成し、これらの間に第２ヒンジ部を設置して、しおり本体１１と可撓部１２との間の角度が定められるように構成してもよい。後述する各しおりにおいても、しおり本体と可撓部の間に上記の第２ヒンジ部を設置してもよい。
【００２３】
図２は、図１のしおり１を冊子１００に装着した状態を示す説明図である。しおり１は、手帳等の冊子１００に装着するとき、冊子１００の例えば裏表紙１０１の内側面に固定部１４を接着固定する。しおり１の装着は、図２（ａ）等に示したように、例えば裏表紙１０１の上端辺に沿わせて固定部１４を接着固定する。詳しくは、冊子１００のページ紙１０３の例えば上端辺とヒンジ部１３の回転軸部分が平行となるように接着固定する。
【００２４】
このとき、図２（ｂ）、図２（ｃ）に示したように、可撓部１２ならびにヒンジ部１３が冊子１００もしくはページ紙１０３の上端から突出するように固定部１４を裏表紙１０１の内側面に配置固定する。
また、例えば、しおり本体１１をページ紙１０３に当接させたとき、もしくは、ページ紙１０３間に挿んだとき、冊子１００（裏表紙１０１）の外周端側に位置するしおり本体１１の一側端部が、前小口（冊子１００の背表紙と対向配置される小口）から適度に突出するように、固定部１４を固定する。
なお、固定部１４は、冊子１００にしおり１を固定したとき、可撓部１２の可撓溝部１５が冊子１００の小口に接触することが無いように、適当な側の片面に接着剤を付着させている。
ここで説明するしおり１は、前述のように裏表紙１０１の内側面に接着固定するように構成されているが、例えば固定部１４の裏側となる面に接着剤を付着させ、裏表紙１０１の外側面に接着固定するように構成してもよい。また、表表紙１０２の内側面または外側面に接着固定するように構成してもよい。
後述するしおり２についても同様に、裏表紙１０１の内側面または外側面、表表紙１０２の内側面または外側面に接着固定するように構成することが可能である。
【００２５】
冊子１００もしくは裏表紙１０１に固定されたしおり１は、図２（ｃ）に示したように所望のページ紙１０３間にしおりとして挿入するとき、しおり本体１１ならびに可撓部１２をページ紙１０３（もしくは冊子１００）の外側となる位置に配置させ、また、当該所望のページ紙１０３間を見開き状態としておく。この状態でヒンジ部１３を軸回転させるとともに可撓部１２のたわみを変化させて、図２（ｂ）に示したようにしおり本体１１を上記の見開き状態のページ紙１０３表面に当接させる。
上記のようにしおり本体１１を当接させた後、このページ間を閉じることで容易に挿み込むことが可能になる。
【００２６】
前述のようにしおり本体１１を所望のページ紙１０３に当接させるとき、ヒンジ部１３が閉じるように力を加えて、しおり本体１１と固定部１４が、裏表紙１０１側に配置されているページ紙１０３を挿んで重なり合う状態にする。
【００２７】
ここで、ヒンジ部１３の開度が小さくなるように調整すると、可撓部１２のたわみが直線状へ近付き、当該たわみによって生じる応力、即ち、しおり本体１１をページ紙１０３表面から遠ざけようとする力が弱まり、好ましくは、この力が消滅する。
即ち、しおり本体１１は、可撓部１２に生じる応力（たわんだ可撓部１２が元来の形状に戻ろうとする力）の影響が抑えられてページ紙１０３の表面と平行に、あるいは略平行になり、ヒンジ部１３の開度が小さくなるほど固定部１４側へ近付き、ページ紙１０３の表面に面接触する。
【００２８】
このようにヒンジ部１３を閉じて、冊子１００のページ紙１０３間にしおり本体１１を挿み込んだとき、冊子１００の外周部位から可撓部１２が大きくはみ出すことのない状態となる。
ヒンジ部１３は、前述のように開度を保持する保持手段を有している。即ち、ヒンジ部１３の開度を保持することができる保持力を、例えば、回転軸の摩擦抵抗（回転抵抗）によって発生させている。
【００２９】
換言すると、ヒンジ部１３は、自由に回転しない保持力を有するように構成されている。
したがって、使用者の指先の力で当該ヒンジ部１３の開度を調整することができる。この保持力は、後述するヒンジ部２３，３３の保持手段においても同様に有している。
ここで、見開くための力をＦ、この力Ｆが加えられる位置から綴込み部分までの距離をＬ１、しおり本体１１に積層されているページ１０３の重量をＷ、当該重量Ｗを有するページ紙１０３の重心から用紙綴込み部分までの距離をＬ０としたとき、見開きに要する力Ｆは、Ｆ＝Ｗ×Ｌ０／Ｌ１となる。
本発明のしおり１は、本、手帳等の綴込み部分から離れた位置に固定し、しおり本体１１に手を沿え、または指を掛け、押し開くように操作することで、小さな力で且つ素早くページを開くことができる。
【００３０】
（実施例２）
図３は、本発明の実施例２によるしおり２の構成を示す説明図である。図２（ａ）は、しおり２を正面視したときの外観であり、図２（ｂ）は、しおり２を側方視したときの外観の一部分を示したものである。
しおり２は、例えば、前述のしおり１と同様に、表面にざらつきを有し、また、可撓性を有する樹脂板、あるいは樹脂シートを用いて形成されたしおり本体２１、しおり本体２１と一体形成された可撓部２２、しおり本体２１とは別部材として形成された固定部２４を備えている。
【００３１】
しおり本体２１は、前述のしおり本体１１と概ね同様に、薄板、シート等を用いて形成されており、また、しおり２を前述の冊子１００等に装着したとき、ページ紙１０３の小口から突出する（例えば、ページ紙１０３の側方へ突出する）タグ部２１ａを有している。
可撓部２２は、前述の可撓部１２と概ね同様に構成されており、可撓溝部１５と同様な形状、大きさの可撓溝部２５が、適当な間隔を開けて複数形成されている。また、可撓部２２は、固定部２４と対向する縁辺部分にヒンジ部２３の一部分が一体形成されている。具体的には、蝶番のヒンジ部２３において、可撓部２２の縁辺近傍が一の蝶番片となり、この縁辺部分に回転軸を構成する一の管状部分が形成されている。
【００３２】
固定部２４は、前述の固定部１４と概ね同様に構成されており、片側面に例えば接着剤、または、両面テープ（接着シート）等を付着させている。また、固定部２４は、可撓部２２と対向する縁辺部分にヒンジ部２３の一部分が一体形成されている。具体的には、蝶番構造を有するヒンジ部２３において、固定部２４の縁辺近傍、または固定部２４全体が他の蝶番片となり、この縁辺部分に回転軸を構成する他の管状部分が形成されている。
固定部２４と可撓部２２とを近接させると、固定部２４の他の管状部分と可撓部２２の一の管状部分が直線状に配置され、これら管状部分には例えば金属製の真直棒であるピン２６が挿通されており、ヒンジ部２３の回転軸を構成している。なお、このヒンジ部２３は、前述のヒンジ部１３と同様に、当該ヒンジ部２３の開度を保持する保持手段（回転軸の摩擦抵抗など）を有している。
【００３３】
図４は、図３のしおり２を冊子１００に装着した状態を示す説明図である。
この図は、固定部２４の片側面に付着させた接着剤等を用いて、固定部２４を裏表紙１０１の内側面に、詳しくは、前述の固定部１４と同様な位置に固定して所望のページ紙１０３間を見開き、この見開いたページ紙１０３の表面に、しおり本体２１を当接させた状態を示している。なお、しおり２は、しおり本体２１のタグ部２１ａがページ紙１０３の側方（小口）から突出するように、当該しおり２の表裏を定めて冊子１００へ固定するように構成されている。
【００３４】
固定部２４を裏表紙１０１に固定して、しおり本体２１を所望のページ紙１０３間に挿み込むとき、図４に示したように、見開いたページ紙１０３の裏表紙１０１に重なる側にしおり本体２１を当接させる。このようにしおり本体２１を当接させるときには、ヒンジ部２３の回転軸を回転させて見開いたページ紙１０３の裏表紙１０１に重なる側にしおり本体２１を当接させ、当該しおり本体２１をページ紙１０３のなるべく下方位置へ配置することで、可撓部２２のたわみを小さく抑制する。
ここで、ヒンジ部２３の開度が小さくなると、可撓部２２のたわみが直線状へ近付き、当該たわみによって生じる応力、即ち、しおり本体２１をページ紙１０３表面から遠ざけようとする力が弱まり、好ましくは、この力が消滅する。
【００３５】
即ち、しおり本体２１は、可撓部２２に生じるたわみの影響が抑えられてページ紙１０３の表面と平行に、あるいは略平行になり、ヒンジ部１３の開度が小さくなるほど固定部２４側へ近付き、ページ紙１０３の表面に面接触する。
【００３６】
上記のようにしおり本体２１を面接触させて見開き状態の冊子１００を閉じ、しおり本体２１を所望のページ１０３間に挿み込む。
前述のように所望のページ１０３間にしおり本体２１を挿み込むと、当該ページ紙１０３の小口から、詳しくはページ紙１０３の側方へしおり本体２１のタグ部２１ａが突出する。タグ部２１ａは、冊子１００を閉じたときページ紙１０３間から突出して、しおり本体２１を挿み込んだページの目印となると共に、指を掛けてページを開くことの助けとなる。
本発明のしおり２は、本、手帳等の綴込み部分から離れた位置に固定し、しおり本体２１またはタグ部２１ａに手を沿え、または指を掛け、押し開くように操作することで、小さな力で且つ素早くページを開くことができる。
【００３７】
（実施例３）
図５は、本発明の実施例３によるしおり３の構成を示す説明図である。図５（ａ）は、しおり３を正面視したときの外観であり、図５（ｂ）は、しおり３を側方視したときの外観を示したものである。
しおり３は、例えば、滑らかな表面を有する樹脂製の可撓性を有する薄板あるいはシート等を用いて形成したしおり本体３１、しおり本体３１と一体形成された可撓部３２、例えば金属製の棒材を曲げてバネ性を有するように形成した固定部３４を備えている。なお、しおり本体３１ならびに可撓部３２は、上記の樹脂素材と同様な特徴を備えた、金属素材、複合素材（ハイブリッド素材）等を用いて形成することも可能である。
【００３８】
しおり本体３１は、しおり３を、例えば冊子１００の裏表紙１０１に装着した場合にページ紙１０３の小口から突出するタグ部３１ａと、冊子１００の表表紙１０２に装着した場合にページ紙１０３の小口から突出するタグ部３１ｂとを有している。即ち、しおり本体３１の一の側端にタグ部３１ａを有し、タグ部３１ａと対向する他の側端にタグ部３１ｂを有している。
可撓部３２は、前述のようにしおり本体３１と同一素材により一体形成されており、タグ部３１ａ、タグ部３１ｂの各突出方向に対して直交する（鉛直）方向へ延設されている。また、可撓部３２は、しおり本体３１においてタグ部３１ａとタグ部３１ｂとの間に配置され、図５（ａ）において、しおり本体３１の下端を基端として延設されている。なお、可撓溝部３５は、可撓部３２の延設方向に対して直交するように延設されている。
ここで説明した可撓部３２は、可撓溝部３５を設けているが、可撓溝部３５を設けることなく薄くする又は有効幅を小さく形成することもできる。
【００３９】
しおり本体３１から延設された可撓部３２の先端にはヒンジ部３３が設けられている。ヒンジ部３３は、例えば蝶番の構造を有し、可撓溝部３５と平行に当該蝶番の回転軸を構成する管状部分が、可撓部３２の先端に一体形成されている。即ち、可撓部３２の上記先端近傍が一の蝶番片となる。
上記の管状部分の両端には、それぞれ固定部３４の基端部分が接続固定されている。固定部３４の基端は、例えば、係止部材３６を用いて回転可能に固定されており、当該固定部３４が、ヒンジ部３３において他の蝶番片となるように、可撓部３２の先端に取付け接続されている。
このヒンジ部３３は、前述のヒンジ部１３，２３と同様に、開度を保持する保持力を生じる保持手段を有し、例えば回転軸の摩擦抵抗などによってしおり本体３１と固定部３４の位置関係を保持することができるように構成されている。
【００４０】
固定部３４は、例えば、ゼムクリップのように１本の金属製の線材、または細棒を複数回折り曲げてワイヤークリップとして形成したもので、複数回折り曲げることによって形成された押さえ片３４ａと押さえ片３４ｂとの間にバネ性を有している。この固定部３４は、冊子１００の裏表紙１０１や表表紙１０２のいずれかを、上記のバネ性を用いて押え片３４ａと押さえ片３４ｂとの間に挿み込んで、冊子１００から脱落しない程度の強さで、当該しおり３を固定するように構成されている。
また、例えば押さえ片３４ａにゴム管等の被覆材を装着し、冊子１００からの脱落、固定位置のずれ、タグ部３１ａまたはタグ部３１ｂの突出量の減少や消滅等の発生を、さらに強く防ぐように構成してもよい。
なお、前述の固定部１４または固定部２４に替えて、しおり本体１１またはしおり本体２１にワイヤークリップの固定部３４を接続して、本発明によるしおりを構成してもよい。
【００４１】
図６は、図５のしおり３を冊子１００に装着した状態を示す説明図である。
この図は、裏表紙１０１の上端部分を固定部３４で挿み込み、しおり３を冊子１００に固定し、所望のページ紙１０３間を見開き、この見開いたページ紙１０３の表面に、しおり本体３１を当接させた状態を示している。
ここで図示したしおり３は、例えば、しおり本体３１のタグ部３１ａがページ紙１０３の側方から突出するように、固定部３４の固定位置を調整して裏表紙１０１に装着している。
【００４２】
なお、しおり３を冊子１００に装着したとき、可撓部３２は、前述の可撓部１２，２２と同様に動作し、また、ヒンジ部３３は、前述のヒンジ部１３，２３と同様に動作する。ここでは、所望のページ紙１０３間に挿み込むとき、しおり１，２に備えたものと同様に動作する（同様に作用する）可撓部３２およびヒンジ部３３に関する重複説明を省略する。
また、固定部３４を表表紙１０２に固定した場合には、見開いたページ紙１０３の表表紙１０２側に配置された表面にしおり本体３１が当接し、タグ部３１ｂがページ紙１０３の側方の小口から突出する。ここでは、裏表紙１０１に固定部３４を固定した場合を例示して説明し、表表紙１０２に固定部３４を固定した場合の説明を省略する。
本発明のしおり３は、本、手帳等の綴込み部分から離れた位置に固定し、しおり本体３１またはタグ部３１ａに手を沿え、または指を掛け、押し開くように操作することで、小さな力で且つ素早くページを開くことができる。
【００４３】
前述のように表面が滑らかな樹脂によってしおり本体３１を形成した場合、当接するページ紙１０３の表面を滑り動くことが起き易くなる。
そのため、しおり本体３１は、両面もしくは、少なくとも該しおり本体３１を挿んだときに、しおり本体３１と固定部３４で挟まれた側の複数のページ紙１０３のうち、しおり本体３１と接するページ紙１０３側の表面に、適当な大きさの凹凸部または溝部を備えている。
【００４４】
ここで例示したしおり本体３１は、片側面または両面に複数の溝部３７を形成させ、ページ紙１０３、さらにはページ紙１０３の小口との間に適度な摩擦が生じるようにして、当該しおり本体３１に手または指を沿えてページを開こうとした時、不意にずれることを防ぐように構成している。
可撓溝部３５を設けることなく可撓部３２を形成した場合、しおり本体３１の両面に溝部３７を形成することが可能となり、しおり本体３１の両面を使用することができる。このように、しおり本体３１の両面を使用することできる場合には、タグ部３１ａ又はタグ部３１ｂのいずれか片方を備えれば済むことになり、しおり本体３１の形状がＴ型からＬ型となって、よりコンパクトに構成することができる。
【００４５】
図５（ａ）においては、溝部３７がしおり本体３１の上下方向に延びるように形成されており、タグ部３１ａ，３１ｂを含めてしおり本体３１の一表面全体に形成されている。なお、しおり本体３１のうち、タグ部３１ａ，３１ｂのみに溝部３７を設けた構成としてもよい。
また、上記の溝部３７に替えて、溝部３７と同様に配置、延設された複数の凹凸部をしおり本体３１に備えてもよい。
例えば、冊子１００が手帳であって、この手帳の（ページ紙１０３の）１ページ厚さが０．１［ｍｍ］以下である場合、これに装着するしおり３（しおり本体３１）は、溝断面が半円形状であって、半径０．０５［ｍｍ］、半円深さが０．０５［ｍｍ］の溝部３７を備えるように構成するとよい。
【００４６】
前述のしおり本体１１，２１についても、滑らかな表面を有する薄板あるいはシート等を用いて、これの表面に上記の溝部３７を設けて構成してもよい。
また、タグ部３１ａ，３１ｂ、ヒンジ部３２、可撓部３４を含むしおり本体３１を、前述のしおり本体１１，２１と同様に、表面に適当なざらつきを有する樹脂製の薄板、シート等を用いて構成してもよく、さらに、表面に適当なざらつきを有する厚紙を用いて構成してもよい。
【００４７】
（比較例）
図７は、比較例のしおり４の構成を示す説明図である。図７（ａ）は、しおり４を正面視したときの外観であり、図７（ｂ）は、しおり４を裏表紙１０１に固定し、しおり本体４１を所望のページ間に挿んだ状態を側方視したときの外観を示したものである。
しおり４は、例えば、前述のしおり１，２等と同様に、可撓性を有する樹脂板、あるいは樹脂シートを用いて形成されており、しおり本体４１、しおり本体４１と一体形成された可撓部４２および固定部４４を備えて構成されている。
【００４８】
しおり本体４１は、例えば、前述のしおり本体２１と同様な形状、大きさに構成されており、また、可撓部４２は、可撓部１２，２２と同様に構成されている。この可撓部４２に形成された複数の可撓溝部４５は、可撓部１２，２２の複数の可撓溝部１５と同様に形成されたものである。なお、可撓部４２は、単一厚さのシートなどを用いて形成することも可能で、可撓溝部４５を設けることを必須としたものではない。
固定部４４は、可撓部４２の先端部（図７において可撓部４２の下端）に接続しており、前述の固定部１４，２４と同様な形状、大きさに形成されており、また、片面に例えば前述の接着剤等を付着させている。
【００４９】
図７（ｂ）に示したように、固定部４４を裏表紙１０１の内側面に接着固定した後、所望のページ紙１０３間にしおり本体４１を挿むと、可撓部４２と固定部４４との接続部分と、可撓部４２としおり本体４１との接続部分では延設される方向が１８０度変化して、可撓部４２が大きくたわんで冊子１００の外周の外側へ向かって膨らみ、当該冊子１００の外周から突出することがある。
このように大きくたわんだ可撓部４２には、相当の強さの応力（可撓部４２の元来の形状へ戻ろうとする力）が発生する。
【００５０】
この応力は、しおり本体４１が裏表紙１０１側に配置されたページ紙１０３の表面から離脱するように、即ち、閉じたページ紙１０３を見開くように作用する。図７（ｂ）に示したようにしおり本体４１を挿み込んだときには、当該しおり本体４１が表表紙１０２を開くように作用する。
そのため、しおり本体４１を挿んだ冊子１００を閉じておくためには、例えば表表紙１０２と裏表紙１０１の間を閉じるように作用する外力等が必要になり、具体的には表表紙１０２と裏表紙１０１との間を閉じるバンド部材などを備える必要がある。
【００５１】
このように、固定部４４を固定してページ紙１０３間にしおり本体４１を挿み込むと、可撓部４２には相当強い応力が生じることから、本発明によるしおり１〜３は、いずれも可撓部と固定部との間にヒンジ部を設置して可撓部のたわみを抑制している。そのため、しおり１〜３は、しおり本体を挿んだ冊子をストレスなく閉じておくことができる。
また、しおり１〜３は、しおり本体を挿んだページ紙を見開き状態として、ヒンジ部を回転させることにより、しおり本体をページ紙表面から遠ざけておくことができることから、簡易な操作で所望のページを開いて読書や書き込みを始めることができる。
【００５２】
また、しおり２は、しおり本体２１にタグ部２１ａを備えて略Ｌ型に形成され、しおり３は、しおり本体３１にタグ部３１ａ，３１ｂを備えて略Ｔ型に形成されているが、複数のタグ部を備えるしおり本体を略十字型に形成し、これを用いて前述のようなヒンジ部および可撓部を有する本発明のしおりを構成してもよい。
しおり３のしおり本体３１のように、可撓部３２の延設方向と直交する方向に沿って、タグ部３１ａとタグ部３１ｂを対向配置することにより、当該しおり３（固定部３４）を表表紙１０２に固定することも、裏表紙１０１に固定することも可能になり、使用者が左利きである場合や右利きである場合などに対応して、冊子１００に装着することも可能になり、使い勝手を向上させることができる。
【符号の説明】
【００５３】
１〜４しおり
１１，２１，３１，４１しおり本体
１２，２２，３２，４２可撓部
１３，２３，３３ヒンジ部
１４，２４，３４，４４固定部
１５，２５，３５，４５可撓溝部
３７溝部
２６ピン
３４ａ，３４ｂ押さえ片
３６係止部材
１００冊子
１０１裏表紙
１０２表表紙
１０３ページ紙
【図１】
2019209565.tif 000003
【図２】
2019209565.tif 000004
【図３】
2019209565.tif 000005
【図４】
2019209565.tif 000006
【図５】
2019209565.tif 000007
【図６】
2019209565.tif 000008
【図７】
2019209565.tif 000009
【手続補正書】
【提出日】平成30年9月10日(2018.9.10)
【手続補正１】
【補正対象書類名】明細書
【補正対象項目名】００１０
【補正方法】変更
【補正の内容】
【００１０】
本発明に係るしおりは、冊子の表紙に固定する固定部と、薄板あるいはシートを用いて形成され、前記冊子のページ紙間に挿み込むしおり本体と、前記しおり本体から延設された可撓部と、前記可撓部と前記固定部とを接続するヒンジ部と、を備え、前記しおり本体は、前記ページ紙間に挿むときに該ページ紙の小口から突出するタグ部を有し、該しおり本体または前記タグ部に、手または指を沿えてページを開こうとした時、前記ページ紙との間に適度な摩擦が生じ、不意にずれることを防ぐ複数の溝部または凹凸部を、両面もしくは、少なくとも該しおり本体を挿んだときに、該しおり本体と前記固定部で挟まれた側の複数のページ紙のうち、該しおり本体と接するページ紙側の表面に設け、前記しおり本体を前記冊子の所望のページ間に挿んだとき、前記しおり本体と前記ページ紙表面とを平行あるいは略平行にすることを特徴とする。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１７
【補正方法】変更
【補正の内容】
【００１７】
しおり本体１１を形成する樹脂製の薄板あるいはシート等は、容易に折れ曲がることがなく、また前述のように可撓性を備える厚さを有している。
しおり本体１１と一体形成されている可撓部１２は、当該しおり本体１１と同一素材によって形成されており、適当な間隔を開けて複数の可撓溝部１５が設けられている。
【手続補正５】
【補正対象書類名】明細書
【補正対象項目名】００２７
【補正方法】変更
【補正の内容】
【００２７】
しおり本体１１は、可撓部１２に生じる応力（たわんだ可撓部１２が元来の形状に戻ろうとする力）の影響が抑えられてページ紙１０３の表面と平行に、あるいは略平行になり、ヒンジ部１３の開度が小さくなるほど固定部１４側へ近付き、ページ紙１０３の表面に面接触する。
【手続補正６】
【補正対象書類名】明細書
【補正対象項目名】００２９
【補正方法】変更
【補正の内容】
【００２９】
換言すると、ヒンジ部１３は、自由に回転しない（不意に開くことが無い様に）保持力を有するように構成されている。
したがって、使用者の指先の力で当該ヒンジ部１３の開度を調整することができる。この保持力は、後述するヒンジ部２３，３３の保持手段においても同様に有している。
ここで、見開くための力をＦ、この力Ｆが加えられる位置から綴込み部分までの距離をＬ１、しおり本体１１に積層されているページ１０３の重量をＷ、当該重量Ｗを有するページ紙１０３の重心から用紙綴込み部分までの距離をＬ０としたとき、見開きに要する力Ｆは、Ｆ＝Ｗ×Ｌ０／Ｌ１となる。
本発明のしおり１は、本、手帳等の綴込み部分から離れた位置に固定し、しおり本体１１に手を沿え、または指を掛け、押し開くように操作することで、小さな力で且つ素早くページを開くことができる。
【手続補正７】
【補正対象書類名】明細書
【補正対象項目名】００３０
【補正方法】変更
【補正の内容】
【００３０】
（実施例２）
図３は、本発明の実施例２によるしおり２の構成を示す説明図である。図３（ａ）は、しおり２を正面視したときの外観であり、図３（ｂ）は、しおり２を側方視したときの外観の一部分を示したものである。
しおり２は、例えば、前述のしおり１と同様に、可撓性を有する樹脂板、あるいは樹脂シートを用いて形成されたしおり本体２１、しおり本体２１と一体形成された可撓部２２、しおり本体２１とは別部材として形成された固定部２４を備えている。
【手続補正８】
【補正対象書類名】明細書
【補正対象項目名】００３８
【補正方法】変更
【補正の内容】
【００３８】
しおり本体３１は、しおり３を、例えば冊子１００の裏表紙１０１に装着した場合にページ紙１０３の小口から突出するタグ部３１ａと、冊子１００の表表紙１０２に装着した場合にページ紙１０３の小口から突出するタグ部３１ｂとを有している。即ち、しおり本体３１の一の側端にタグ部３１ａを有し、タグ部３１ａと対向する他の側端にタグ部３１ｂを有している。
可撓部３２は、タグ部３１ａ、タグ部３１ｂの各突出方向に対して直交する（鉛直）方向へ延設されている。また、可撓部３２は、しおり本体３１においてタグ部３１ａとタグ部３１ｂとの間に配置され、図５（ａ）において、しおり本体３１の下端を基端として延設されている。なお、可撓溝部３５は、可撓部３２の延設方向に対して直交するように延設されている。
ここで説明した可撓部３２は、可撓溝部３５を設けているが、可撓溝部３５を設けることなく薄くする又は有効幅を小さく形成することもできる。
【手続補正９】
【補正対象書類名】明細書
【補正対象項目名】００４４
【補正方法】変更
【補正の内容】
【００４４】
ここで例示したしおり本体３１は、片側面または両面に複数の溝部３７を形成させ、ページ紙１０３、さらにはページ紙１０３の小口との間に適度な摩擦が生じるようにして、当該しおり本体３１に手または指を沿えてページを開こうとした時、不意にずれることを防ぐように構成している。
しおり本体３１の両面に溝部３７を設けた場合には、タグ部３１ａ又はタグ部３１ｂのいずれか片方を備えれば済むことになり、しおり本体３１の形状がＴ型からＬ型となって、よりコンパクトに構成することができる。
【手続補正１０】
【補正対象書類名】特許請求の範囲
【補正対象項目名】全文
【補正方法】変更
【補正の内容】
【特許請求の範囲】
【請求項１】
冊子の表紙に固定する固定部と、
薄板あるいはシートを用いて形成され、前記冊子のページ紙間に挿み込むしおり本体と、
前記しおり本体から延設された可撓部と、
前記可撓部と前記固定部とを接続するヒンジ部と、
を備え、
前記しおり本体は、
前記ページ紙間に挿むときに該ページ紙の小口から突出するタグ部を有し、
該しおり本体または前記タグ部に、手または指を沿えてページを開こうとした時、前記ページ紙との間に適度な摩擦が生じ、不意にずれることを防ぐ複数の溝部または凹凸部を、両面もしくは、少なくとも該しおり本体を挿んだときに、該しおり本体と前記固定部で挟まれた側の複数のページ紙のうち、該しおり本体と接するページ紙側の表面に設け、
前記しおり本体を前記冊子の所望のページ紙間に挿んだとき、前記しおり本体と前記ページ紙表面とを平行あるいは略平行にする、
ことを特徴とするしおり。
【請求項２】
前記ヒンジ部は、
該ヒンジ部の開度を保持する保持手段を備える、
ことを特徴とする請求項１に記載のしおり。
【手続補正１１】
【補正対象書類名】図面
【補正対象項目名】図２
【補正方法】変更
【補正の内容】
【図２】
2019209565.tif 000010